(57)【要約】【課題】地毛を傷めることなく、きわめて容易に地毛に装着することができる上、地毛の拘束力が高いため取れにくく、しかも、横たわった場合でも使用者に違和感を与えることがない実用的なエクステンションを提供する。【解決手段】エクステンション１は、地毛への装着手段である紐状体３が、片端に結び目を形成したものであり、その結び目（塊状部７）を本体部２の毛髪内に埋め込んで毛髪とともにバインダーで接着することによって本体部２に固着されている。また、紐状体３には、基端と先端とを離す方向に引っ張ることによって収縮する第一ループ５ａおよび第二ループ５ｂが約２．０ｍｍの間隔を隔てて位置するように形成されている。【選択図】図１
2011231437.tif 000002
【特許請求の範囲】
【請求項１】
毛髪を束ねた本体部と、その本体部を地毛に装着するための装着手段とを有するエクステンションであって、
前記装着手段が、片端を前記本体部に固着させた紐状体であり、
その紐状体を結束することにより、紐状体の基端と先端とを離す方向に引っ張ることによって収縮する第一ループおよび第二ループが、所定の距離を隔てて位置するように形成されていることを特徴とするエクステンション。
【請求項２】
前記紐状体が、綿を主成分とする太さ５３ｄ〜１０，６３０ｄの繊維によって形成されており、第一ループおよび第二ループの内周の長さが、５．０ｍｍ〜１３．０ｍｍになるように調整されていることを特徴とする請求項１に記載のエクステンション。
【請求項３】
前記紐状体が、片端に結び目を形成したものであり、その結び目を前記本体部の毛髪内に埋め込んで毛髪とともにバインダーで接着することによって前記本体部に固着されていることを特徴とする請求項１、または請求項２に記載のエクステンション。
【発明の詳細な説明】
【技術分野】
【０００１】
本発明は、頭髪にボリューム感を与える等の目的で地毛に装着するエクステンション（付け毛）に関するものである。
【背景技術】
【０００２】
従来のエクステンションとしては、付け足す毛髪の束の基端に金属製のチューブが付設されており、その金属製のチューブの内部に地毛を挿通させた状態でチューブを圧壊することによって地毛に装着するものが知られている。また、特許文献１の如く、接着剤を含浸させた毛髪の束からなる筒状体の外側に熱収縮チューブが被覆されており、筒状体の内部に地毛を挿通させた状態で熱収縮チューブをアイロン等で加熱することにより、収縮したチューブと溶融させた接着剤とによって地毛に装着するものも開発されている。
【先行技術文献】
【特許文献】
【０００３】
【特許文献１】特開２００８−２０２１９９号公報
【発明の概要】
【発明が解決しようとする課題】
【０００４】
しかしながら、毛髪束の基端に金属製のチューブを付設したエクステンションは、チューブを圧壊する際に地毛が非常に傷み易い。また、エクステンションを装着した状態で横たわると、硬い金属のチューブにより使用者に多大な違和感を与えてしまう。さらに、金属製のチューブ内から地毛が抜け易いために取れ易い、という不具合もある。
【０００５】
一方、特許文献１の如く、接着剤を含浸させた毛髪の束によって筒状体を形成してなるエクステンションは、金属製のチューブを付設したエクステンションほど地毛を傷めないものの、接着剤によって地毛と接着するものであるため、装着に際して少なからず地毛を損傷させてしまう。また、熱収縮チューブを被覆させた筒状体をアイロンによって加熱しなければならないため、装着に時間がかかる上、取り外しにも手間がかかる。
【０００６】
本発明の目的は、上記従来のエクステンションが有する問題点を解消し、地毛（自毛）を傷めることなく、きわめて容易に地毛に装着することができる上、地毛の拘束力が高いため取れにくく、しかも、横たわった場合でも使用者に違和感を与えることがない実用的なエクステンションを提供することにある。
【課題を解決するための手段】
【０００７】
本発明の内、請求項１に記載された発明は、毛髪を束ねた本体部と、その本体部を地毛に装着するための装着手段とを有するエクステンションであって、前記装着手段が、片端を前記本体部に固着させた紐状体であり、その紐状体を結束することにより、紐状体の基端と先端とを離す方向に引っ張ることによって収縮する第一ループおよび第二ループが、所定の距離を隔てて位置するように形成されていることを特徴とするものである。なお、第一ループと第二ループとの所定の距離とは、１．０ｍｍ以上８．０ｍｍ以下の距離のことであり、当該距離が１．５ｍｍ以上６．０ｍｍ以下であるとより好ましく、２．０ｍｍ以上５．０ｍｍ以下であると、特に好ましい。
【０００８】
請求項２に記載された発明は、請求項１に記載された発明において、前記紐状体が、綿を主成分とする太さ５３ｄ（デニール、すなわち、９，０００ｍの重さが５３ｇ）〜１０，６３０ｄの繊維によって形成されており、第一ループおよび第二ループの内周の長さが、５．０ｍｍ〜１３．０ｍｍになるように調整されていることを特徴とするものである。
【０００９】
請求項３に記載された発明は、請求項１、または請求項２に記載された発明において、前記紐状体が、片端に結び目を形成したものであり、その結び目を前記本体部の毛髪内に埋め込んで毛髪とともにバインダーで接着することによって前記本体部に固着されていることを特徴とするものである。
【発明の効果】
【００１０】
請求項１に記載のエクステンションは、装着手段である紐状体に形成された第一ループおよび第二ループに地毛を挿通させた状態で、紐状体を引っ張って第一ループおよび第二ループを収縮させるだけで、きわめて容易に頭髪に装着することができる。また、頭髪への装着に際し、地毛に熱を加えたり、接着剤を付けたりする必要がないので、地毛を損傷させることがない。さらに、所定の間隔を隔てて位置した２つのループが、それぞれ、地毛の別々の部分を締め付けるので、地毛の拘束力が高く、長期間に亘って装着状態を保持することができる。加えて、頭髪への装着手段である紐状体が非常にコンパクトであるので、使用者が装着した状態で横たわる場合でも、使用者に違和感を与えたりしない。
【００１１】
請求項２に記載のエクステンションは、紐状体が所定の径を有する綿を主体とした繊維からなるものであり、第一ループ、第二ループの大きさが所定の範囲内に調整されているので、きわめて地毛に装着し易い。その上、紐状体を引っ張った場合に、各ループによる地毛の拘束力が高い上、それらの拘束力が偏らないので、地毛の損傷を効果的に防止することができる。
【００１２】
請求項３に記載のエクステンションは、地毛への装着手段である紐状体が強固に本体部に固着されているので、長期間に亘って頭髪に装着した場合でも、紐状体が本体部から外れてしまったりしない。
【図面の簡単な説明】
【００１３】
【図１】エクステンションの外観図（正面から見た外観図）である。
【図２】本体部の基端の接着部分を拡大して示す説明図（透視図）である。
【図３】紐状体の製造方法を示す説明図である。
【図４】エクステンションの使用方法を示す説明図である。
【発明を実施するための形態】
【００１４】
以下、本発明に係るエクステンションを、図面に基づいて詳細に説明する。図１は、エクステンションの外観を示したものであり、図２は、エクステンションの中間部分を示したものである。エクステンション１は、毛髪ｈ，ｈ・・を束ねた本体部２、地毛（すなわち、使用者自身の毛髪）に装着するための紐状体３とによって構成されている。
【００１５】
紐状体３は、綿からなる太さ約１３３ｄ（４０番手、見掛けの直径約０．６ｍｍ）の繊維によって形成されており、約２００ｍｍの長さ（結び目を解いた場合の長さ）を有している。そして、こげ茶色に染色されている。紐状体３の先端には、紐状体３を引っ張る際に指を挿通させるための内周約９０ｍｍの摘み９が、紐状体３を結束することによって形成されている。一方、紐状体３の基端には、本体部２に固着させるための塊状部（結び目）７が、紐状体３を結束（小間結び）することによって形成されている（図２参照）。また、その塊状部７から約８ｍｍ程度離れた部分に、内周の長さが約７．０ｍｍの第一ループ５ａが形成されており、その第一ループ５ａから、約２．０ｍｍ離れた位置に内周の長さが約７．０ｍｍの第二ループ５ｂが形成されている（すなわち、紐状体３においては、第一ループ５ａと第二ループ５ｂとの距離（図１におけるａ）が約２．０ｍｍに調整されている）。
【００１６】
図３は、第一ループ５ａ、第二ループ５ｂの形成方法を示したものであり、第一ループ５ａおよび第二ループ５ｂは、紐状体３を下記（１）〜（４）の工程を通して結束することによって形成されている。
（１）紐状体３の片端（第一端縁４ａ）を、他端（第二端縁４ｂ）際の表側から裏側へ導くことによって輪６を形成する第一工程（図３（ａ）参照）
（２）第二端縁４ｂの裏側へ導かれた第一端縁４ａを、第二端縁４ｂの表側へ導くことによって第一ループ５ａを形成する第二工程（図３（ｂ）参照）
（３）第二端縁４ｂの表側へ導かれた第一端縁４ａを、第二端縁４ｂの裏側へ導き、輪６の裏側から輪６の内部を貫通させて、第二端縁４ｂの周りを一周させた後に、輪６の裏側から輪６の内部を貫通させてループを形成させ、しかる後に、輪６の表側から輪６の内部を貫通させて、第二端縁４ｂの裏側へ導いた後に、第二端縁４ｂの表側へ導き、輪６の表側から輪６の内部を貫通させることにより、輪６内を貫通した第一端縁４ａによって第二ループ５ｂを形成する第三工程（図３（ｃ），（ｄ）参照）
（４）第一端縁４ａと第二端縁４ｂとを引き離すように紐状体３を引っ張ることにより、第一ループ５ａ、第二ループ５ｂが、それぞれ、所定の大きさ（内周の長さが約７．０ｍｍの円形あるいは楕円状）となるように調整する第四工程
【００１７】
一方、図１、図２の如く、本体部２は、長さ約３００ｍｍの人毛ｈ，ｈ・・を約３００本束ねることによって形成されている。なお、束ねられる人毛ｈ，ｈ・・は、界面活性剤で処理することによって洗浄されているが、約５０％以上のキューティクルが残存した状態になっている。それらの人毛ｈ，ｈ・・は、向きを揃えて束ねられ、その束の基端の長さ約１０ｍｍの部分を、耐熱性のケラチンを主成分とするバインダー（所謂、ケラチンボンド）によって接着することにより一体的に結束されている。また、そのようにバインダーによって人毛ｈ，ｈ・・が接着される際に、図２の如く、その接着部分８の内部に、紐状体３の塊状部７を形成した端縁が埋め込まれることによって（すなわち、紐状体３の端縁が人毛ｈ，ｈ・・一緒に束ねられることによって）、紐状体３が本体部２の基端に強固に固着されている。なお、本体部２の基端から第一ループ５ａまでの長さは、約３．０ｍｍになっている（すなわち、塊状部７を形成した紐状体３の端縁は、約５．０ｍｍの部分を接着部分８に埋め込んだ状態になっている。）
【００１８】
［エクステンションの使用方法］
図４は、上記エクステンション１の使用方法を示したものであり、エクステンション１を地毛に装着する場合には、所定量（約５０本程度）の地毛Ｈ，Ｈ・・を束ねて、第二ループ５ｂ内を挿通させた後に、第一ループ５ａ内を挿通させる（図４（ａ）参照））。なお、そのように地毛Ｈ，Ｈ・・を第二ループ５ｂ、第一ループ５ａに挿通させる場合には、かぎ針等の道具を好適に利用することができる。
【００１９】
しかる後に、本体部２の基端（接着部分８）を把持しながら、紐状体３の摘み９を外向きに引っ張る。そのように紐状体３を引っ張ると、第一ループ５ａと第二ループ５ｂとがわずかに間隔を拡げながら、相対的に回転するように捻れるとともに、第一ループ５ａおよび第二ループ５ｂの径が次第に小さくなる（すなわち、第一ループ５ａおよび第二ループ５ｂが収縮する（図４（ｂ）参照））。そのように第一ループ５ａおよび第二ループ５ｂが、互いに捻れながら収縮すると、地毛Ｈ，Ｈ・・が、第一ループ５ａと第二ループ５ｂとの間で、約１８０度のスパイラルを描きながら紐状体３の凹凸（結束により形成された凹凸）に合わせて屈曲した状態で、第一ループ５ａおよび第二ループ５ｂによって把持される。そのため、第一ループ５ａおよび第二ループ５ｂ内を挿通させた地毛Ｈ，Ｈ・・は、きわめて高い拘束力で把持される。
【００２０】
そして、上記の如く、紐状体３の第一ループ５ａと第二ループ５ｂとによって地毛Ｈ，Ｈ・・を把持させた後には、収縮した第一ループ５ａと第二ループ５ｂとの外側で、紐状体３を切断することによって頭髪への装着を完了する。
【００２１】
［ループ間の距離と装着状態、装着強度との関係］
上記エクステンション１において、紐状体３の結束方法を変更すること等によって第一ループ５ａと第二ループ５ｂとの間隔を変化させた場合に、頭髪への装着状態や、装着強度（地毛の抜けにくさ）がどのように変化するかについて調査した。調査においては、紐状体３の結束方法を変えた以外は上記実施形態と同様に製造したエクステンション１を使用した。調査結果を表１に示す。なお、頭髪への装着状態については、目視により下記の３段階で官能評価した。
○・・拘束された地毛に弛みがほとんど見受けられない
△・・拘束された地毛に弛みが見受けられる
×・・拘束された地毛に大きな弛みが見受けられる
【００２２】
また、装着強度については、切断した約５０本の地毛にエクステンション１を装着した後に人力により両者を引き離す方向へ引っ張った場合の地毛の抜け易さを、下記の３段階で官能評価した。
○・・強く引っ張ってもエクステンション１から地毛が抜けない
△・・強く引っ張るとエクステンション１から地毛が抜けてしまう
×・・強く引っ張らなくてもエクステンション１から地毛が抜けてしまう
【００２３】
【表１】
2011231437.tif 000003
【００２４】
［ループの大きさと装着のし易さ、地毛の損傷度合いとの関係］
上記エクステンション１において、紐状体３の第一ループ５ａ、第二ループ５ｂの径（内周の長さ）を変化させた場合に、頭髪への装着のし易さや、地毛の損傷度合いがどのように変化するかについて調査した。調査においては、ループの大きさを変えた以外は上記実施形態と同様に製造したエクステンション１を使用した。調査結果を表２に示す。なお、頭髪への装着のし易さについては、下記の３段階で官能評価した。
○・・非常に装着し易い
△・・装着し易い
×・・装着に手間が掛かる
【００２５】
また、地毛の損傷度合いについては、エクステンション１を７２時間装着して取り外した後の地毛の損傷度合いを、目視により下記の３段階で官能評価した。
○・・地毛の損傷がほとんど見られない
△・・地毛に多少の損傷が見られる
×・・地毛の損傷が大きい
【００２６】
【表２】
2011231437.tif 000004
【００２７】
［エクステンションの効果］
エクステンション１は、上記の如く、地毛への装着手段が、片端を本体部２に固着させた紐状体３であり、その紐状体３を結束することにより、紐状体３の基端と先端とを離す方向に引っ張ることによって収縮する第一ループ５ａおよび第二ループ５ｂが所定の距離（図１におけるａ、約２．０ｍｍ）を隔てて位置するように形成されている。それゆえ、紐状体３に形成された第一ループ５ａおよび第二ループ５ｂに地毛を挿通させた状態で、紐状体３を引っ張って第一ループ５ａおよび第二ループ５ｂを収縮させるだけで、きわめて容易に頭髪に装着することができる。また、頭髪への装着に際し、地毛に熱を加えたり、接着剤を付けたりする必要がないので、地毛を損傷させることがない。さらに、所定の距離を隔てて位置した第一ループ５ａおよび第二ループ５ｂが、それぞれ、地毛の別々の部分を締め付けるので、地毛の拘束力が高く、長期間に亘って装着状態を保持することができる。加えて、頭髪への装着手段である紐状体３が非常にコンパクトであるので、使用者が装着した状態で横たわる場合でも、使用者に違和感を与えたりしない。
【００２８】
また、エクステンション１は、紐状体３が所定の径を有する綿を主体とした繊維からなるものであり、第一ループ５ａ、第二ループ５ｂの大きさが所定の範囲内に調整されているので、きわめて地毛に装着し易い（なお、第一ループ５ａ、第二ループ５ｂが小さすぎる場合には、かぎ針を通しにくいため地毛に装着しにくく、第一ループ５ａ、第二ループ５ｂが大きすぎる場合には、紐状体３を引っ張る際に、第一ループ５ａ、第二ループ５ｂに通した地毛が外れ易いため地毛に装着しにくい（表２参照））。その上、紐状体３を引っ張った場合に、第一ループ５ａ、第二ループ５ｂによる地毛の拘束力が偏らないので、地毛の損傷を効果的に防止することができる（表２参照）。
【００２９】
さらに、エクステンション１は、地毛への装着手段である紐状体３が、片端に結び目（塊状部７）を形成したものであり、その結び目を本体部２の毛髪内に埋め込んで毛髪とともにバインダーで接着することによって本体部２に強固に固着されているため、長期間に亘って頭髪に装着した場合でも、紐状体３が本体部２から外れてしまったりしない。
【００３０】
［エクステンションの変更例］
なお、本発明に係るエクステンションの構成は、上記実施形態の態様に何ら限定されるものではなく、本体部、紐状体の材質、形状、構造等の構成を、本発明の趣旨を逸脱しない範囲で、必要に応じて適宜変更することができる。
【００３１】
たとえば、本体部は、上記実施形態の如く、天然の人毛を束ねたものに限定されず、合成樹脂等からなる人工毛髪を束ねたもの、あるいは天然の人毛と人工毛髪とを所定の割合で混合して束ねたもの等に変更することも可能である。さらに、本体部において束ねる毛髪の本数も、上記実施形態の如く、３００本に限定されず、必要に応じて適宜増減させることができる。
【００３２】
また、本体部は、上記実施形態の如く、天然の人毛や人工毛髪をケラチンボンドによって固着（接着）したものに限定されず、その他のボンドや接着剤によって固着したもの等に変更することも可能である。なお、本体部を、毛髪をケラチンボンドによって接着したものとした場合には、頭髪や地肌に悪影響をきわめて与えにくいものとなる、というメリットがある。
【００３３】
また、紐状体の本体部への固着方法は、上記実施形態の如く、片端に形成した結び目を本体部の毛髪内に埋め込んで毛髪とともにバインダーで接着する方法に限定されず、紐状体の片端を開繊して、それらの単糸を本体部の基端の毛髪に絡ませて当該毛髪とともにバインダーで接着する方法等の他の方法に変更することも可能である。
【００３４】
一方、紐状体は、上記実施形態の如く、綿繊維からなるものに限定されず、その他の天然繊維あるいは合成繊維からなるものや、天然繊維と合成繊維とを混合した繊維からなるもの等に変更することも可能である。なお、紐状体を、綿を主成分とする繊維（すなわち、綿糸、あるいは綿の混合比率が７０％以上となるように混紡、混繊した繊維）によって形成すると、地毛に対して高い摩擦力を発現させることができ、拘束した地毛が抜けにくくなる上、地毛に合わせて各種の色に染め易くなるので好ましい。
【００３５】
加えて、紐状体の太さも、上記実施形態の如き太さに限定されず、本体部に束ねられた毛髪の本数等に応じて、適宜変更することができる。なお、紐状体を綿繊維からなるものとし、紐状体の太さを、５３ｄ〜１０，６３０ｄ（すなわち、概ね、１００番手〜００番手）の太さとすると、地毛の拘束力が高くなる上、第一ループ、第二ループを収縮させる際に、不用意に切れる事態が起こりにくいので好ましい。なお、紐状体の太さは、６６ｄ〜２６６ｄ（すなわち、概ね、８０番手〜２０番手）であるとより好ましく、８９ｄ〜１７７ｄ（すなわち、概ね、６０番手〜３０番手）であると特に好ましい。加えて、紐状体は、直径（見掛けの太さ）が０．４ｍｍ〜０．９ｍｍであると、地毛の拘束力が良好なものとなるので好ましい。
【００３６】
一方、紐状体の第一ループ、第二ループは、上記実施形態の如く、約７ｍｍの内周を有するものに限定されず、必要に応じて、適宜大きさを変更することができるが、第一ループおよび第二ループの内周が、５．０ｍｍ〜１３．０ｍｍの長さになるように調整されていると、地毛に装着し易くなるので好ましい。なお、第一ループ、第二ループが小さすぎる場合（内周が５．０ｍｍを下回る場合）には、かぎ針を通しにくいので、地毛に装着しにくく、第一ループ、第二ループが大きすぎる場合（内周が１３．０ｍｍを上回る場合）には、紐状体を引っ張る際に、第一ループ、第二ループに通した地毛が外れ易いため、地毛に装着しにくい。加えて、第一ループおよび第二ループの内周の長さが、１３．０ｍｍ以下になるように調整されていると、第一ループ、第二ループを収縮させる際に、各ループによる地毛の拘束力のバランスが良好なものとなり、地毛が損傷しにくくなるので好ましい（すなわち、第一ループおよび第二ループの内周の長さが１３ｍｍを上回ると、地毛を挿通させた後に紐状体を引っ張ってループを縮小させる際に、２つのループの縮小度合いに偏りができ易く、地毛が損傷し易くなるので好ましくない）。なお、第一ループおよび第二ループは、内周が６．０ｍｍ〜１０．０ｍｍの長さになるように調整されているとより好ましい。
【００３７】
また、紐状体の第一ループ、第二ループの形成方法は、紐状体を上記実施形態の如く第一〜第四の工程を通じて結束する方法に限定されず、第一ループと第二ループとの距離を所定の距離に保つことが可能な結束方法であれば、上記実施形態の結束方法とは異なる方法で紐状体を結束する方法等に変更することも可能である。なお、上記実施形態の如き第一〜第四の工程を通じて紐状体を結束することによって第一ループ、第二ループを形成した場合には、紐状体を引っ張った際に、各ループが均等にかつスムーズに収縮するものとなる、というメリットがある。
【００３８】
加えて、紐状体は、上記実施形態の如く、こげ茶色に染色されたものに限定されず、装着される地毛の色に合うように、各種の色に染色されたものを用いることができる。
【産業上の利用可能性】
【００３９】
本発明のエクステンションは、上記の如く優れた効果を奏するものであるから、頭髪にボリュームを与える等の用途に好適に用いることができる。
【符号の説明】
【００４０】
１・・エクステンション
２・・本体部
３・・紐状体
５ａ・・第一ループ
５ｂ・・第二ループ
７・・塊状部
【図１】
2011231437.tif 000005
【図２】
2011231437.tif 000006
【図３】
2011231437.tif 000007
【図４】
2011231437.tif 000008
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
毛髪を束ねた本体部と、その本体部を地毛に装着するための装着手段とを有するエクステンションであって、
前記装着手段が、片端を前記本体部に固着させた紐状体であり、
その紐状体を結束することにより、紐状体の基端と先端とを離す方向に引っ張ることによって収縮する第一ループおよび第二ループが、所定の距離を隔てて位置するように形成されており、かつ、
前記紐状体が、綿を主成分とする繊維によって形成されており、第一ループおよび第二ループの内周の長さが、５．０ｍｍ〜１３．０ｍｍになるように調整されていることを特徴とするエクステンション。
【請求項２】
前記紐状体が、片端に結び目を形成したものであり、その結び目を前記本体部の毛髪内に埋め込んで毛髪とともにバインダーで接着することによって前記本体部に固着されていることを特徴とする請求項１に記載のエクステンション。
【手続補正２】
【補正対象書類名】明細書
【補正対象項目名】０００７
【補正方法】変更
【補正の内容】
【０００７】
本発明の内、請求項１に記載された発明は、毛髪を束ねた本体部と、その本体部を地毛に装着するための装着手段とを有するエクステンションであって、前記装着手段が、片端を前記本体部に固着させた紐状体であり、その紐状体を結束することにより、紐状体の基端と先端とを離す方向に引っ張ることによって収縮する第一ループおよび第二ループが、所定の距離を隔てて位置するように形成されており、かつ、前記紐状体が、綿を主成分とする繊維によって形成されており、第一ループおよび第二ループの内周の長さが、５．０ｍｍ〜１３．０ｍｍになるように調整されていることを特徴とするものである。なお、第一ループと第二ループとの所定の距離とは、１．０ｍｍ以上８．０ｍｍ以下の距離のことであり、当該距離が１．５ｍｍ以上６．０ｍｍ以下であるとより好ましく、２．０ｍｍ以上５．０ｍｍ以下であると、特に好ましい。また、紐状体は、太さ５３ｄ（デニール、すなわち、９，０００ｍの重さが５３ｇ）〜１０，６３０ｄの繊維によって形成されたものであると好ましい。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載された発明は、請求項１に記載された発明において、前記紐状体が、片端に結び目を形成したものであり、その結び目を前記本体部の毛髪内に埋め込んで毛髪とともにバインダーで接着することによって前記本体部に固着されていることを特徴とするものである。
【手続補正５】
【補正対象書類名】明細書
【補正対象項目名】００１１
【補正方法】変更
【補正の内容】
【００１１】
また、請求項１に記載のエクステンションは、紐状体が所定の径を有する綿を主体とした繊維からなるものであり、第一ループ、第二ループの大きさが所定の範囲内に調整されているので、きわめて地毛に装着し易い。その上、紐状体を引っ張った場合に、各ループによる地毛の拘束力が高い上、それらの拘束力が偏らないので、地毛の損傷を効果的に防止することができる。
【手続補正６】
【補正対象書類名】明細書
【補正対象項目名】００１２
【補正方法】変更
【補正の内容】
【００１２】
請求項２に記載のエクステンションは、地毛への装着手段である紐状体が強固に本体部に固着されているので、長期間に亘って頭髪に装着した場合でも、紐状体が本体部から外れてしまったりしない。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
毛髪を束ねた本体部と、その本体部を地毛に装着するための装着手段とを有するエクステンションであって、
前記装着手段が、片端を前記本体部に固着させた紐状体であり、
その紐状体を結束することにより、紐状体の基端と先端とを離す方向に引っ張ることによって収縮する第一ループおよび第二ループが、１．０ｍｍ以上８．０ｍｍ以下の距離を隔てて位置するように形成されており、かつ、
前記紐状体が、綿を主成分とする繊維によって形成されており、第一ループおよび第二ループの内周の長さが、５．０ｍｍ〜１３．０ｍｍになるように調整されていることを特徴とするエクステンション。
【請求項２】
前記紐状体が、片端に結び目を形成したものであり、その結び目を前記本体部の毛髪内に埋め込んで毛髪とともにバインダーで接着することによって前記本体部に固着されていることを特徴とする請求項１に記載のエクステンション。
【手続補正２】
【補正対象書類名】明細書
【補正対象項目名】０００７
【補正方法】変更
【補正の内容】
【０００７】
本発明の内、請求項１に記載された発明は、毛髪を束ねた本体部と、その本体部を地毛に装着するための装着手段とを有するエクステンションであって、前記装着手段が、片端を前記本体部に固着させた紐状体であり、その紐状体を結束することにより、紐状体の基端と先端とを離す方向に引っ張ることによって収縮する第一ループおよび第二ループが、１．０ｍｍ以上８．０ｍｍ以下の距離を隔てて位置するように形成されており、かつ、前記紐状体が、綿を主成分とする繊維によって形成されており、第一ループおよび第二ループの内周の長さが、５．０ｍｍ〜１３．０ｍｍになるように調整されていることを特徴とするものである。なお、第一ループと第二ループとの距離は、１．０ｍｍ以上８．０ｍｍ以下であることが必要であり、当該距離が１．５ｍｍ以上６．０ｍｍ以下であるとより好ましく、２．０ｍｍ以上５．０ｍｍ以下であると、特に好ましい。また、紐状体は、太さ５３ｄ（デニール、すなわち、９，０００ｍの重さが５３ｇ）〜１０，６３０ｄの繊維によって形成されたものであると好ましい。